(57)【要約】【課題】測定テープの繰出し時の負担を軽減し、構造が簡単でハンドリング性に優れた新規な巻尺を提供することを目的とする。【解決手段】本体ケース１と、該本体ケース１内に回動可能に収納された巻取ドラム４と、該巻取ドラム４に巻取られた鋼板製測定テープ２と、該測定テープ２を巻取ドラム４に巻取り操作する為の巻取ハンドル５と、巻取られた測定テープ２の反巻取弾発作用による巻取ドラム４の回転を阻止し測定テープ２をロック状態に維持するロック手段６と、このロック状態を解除するロック解除手段９とを備え、上記ロック解除手段９を操作した時には、上記ロック状態が解除され、巻取られた測定テープ２が上記反巻取弾発作用によって巻取ドラムを反巻取方向Ｙに回転させ、本体ケース１の繰出口１ａから測定テープ２が自動的に繰出されるようにしたことを特徴とする。【選択図】図１
2007108106.tif 000002
【特許請求の範囲】
【請求項１】
本体ケースと、該本体ケース内に回動可能に収納された巻取ドラムと、該巻取ドラムに巻取られた鋼板製測定テープと、該測定テープを巻取ドラムに巻取り操作する為の巻取ハンドルと、巻取られた測定テープ自身の反巻取弾発作用による巻取ドラムの回転を阻止し測定テープをロック状態に維持するロック手段と、このロック状態を解除するロック解除手段とを備え、
上記ロック解除手段を操作した時には、上記ロック状態が解除され、巻取られた測定テープが上記反巻取弾発作用によって巻取ドラムを反巻取方向に回転させ、本体ケースの繰出口から測定テープが自動的に繰出されるようにしたことを特徴とする巻尺。
【請求項２】
請求項１に記載の巻尺において、
前記ロック手段が、前記本体ケース内に湾曲状態で弾装された板バネと、該板バネの途中に固着され前記巻取ドラムに弾接される摩擦制動部材とよりなり、前記ロック解除手段が、本体ケースに取付けられた押圧操作ボタンからなり、この操作ボタンを押圧操作することによって、上記板バネを弾性変形させ、上記摩擦制動部材の巻取りドラムに対する弾接を解除させるようにしたことを特徴とする巻尺。
【請求項３】
請求項１又は２に記載の巻尺において、
前記測定テープがコンベックステープからなることを特徴とする巻尺。
【発明の詳細な説明】
【技術分野】
【０００１】
本発明は、本体ケース内に測定テープを巻取り或いは繰出し可能に収納し且つ測定テープを繰出位置にロック保持し得るロック装置を備えた巻尺に関する。
【背景技術】
【０００２】
従来、鋼板、織布、プラスチック材等からなる長尺の測定テープを本体ケース内に巻取り収納し、使用時にはその繰出し口から所望長さに繰出せるようにした巻尺が、建築現場等の産業分野や一般家庭等において広く用いられている。上記巻取りは、手巻き式の他に、ゼンマイバネの戻り力を利用した自動巻取り方式が多く採用されている。また、鋼板製の測定テープとしては、幅方向に湾曲し（コンベックス）、繰出された時にはその湾曲形状への形状記憶性により直線状を維持し得るようにしたものが採用されている。上記のような自動巻取り方式の巻尺の使用に際しては、ゼンマイバネの戻り力（巻取付勢力）に抗して測定テープが所望長さに繰出される。この時、測定テープには常時巻取付勢力が作用しているから、測定テープを繰出した後、手放すと自動的に巻取られてしまう。従って、この種の自動巻取り方式の巻尺では、何等かのロック手段が付設され、測定テープを所望の繰出し位置でロック維持するようになされている。
【０００３】
従来、上記ロック手段としては、操作ボタンをスライド操作し、該操作ボタンに連動するロック部材によって測定テープを拘束しロックするような機構が採用されていた。しかし、このような機構の場合、測定テープを繰出した上で、操作ボタンのロック操作も必要とされる為、操作上の煩雑感があることは否めなかった。そこで、測定テープを繰出して手放すだけで自動的にロックされ、ロック解除用操作ボタンを操作すると自動的に測定テープが巻取られるようにした機構も開発され、実用化されるようになった。特許文献１には、このような自動ロック装置を備えた巻尺の例が開示されている。
【特許文献１】国際公開第０３／０６４９６４号パンフレット
【発明の開示】
【発明が解決しようとする課題】
【０００４】
上記特許文献１に開示されたような自動ロック装置を備えた巻尺の場合、測定テープを所望長さに繰出した後手放せば自動的に測定テープがロックされ、ロック解除ボタンを操作すれば、ゼンマイバネの巻取付勢力により自動的に測定テープが巻取られる。このように、ハンドリング性に優れることから、その実用価値が高く評価されるところとなっている。しかし、測定テープの繰出しはゼンマイバネの巻取付勢力に抗して測定テープを引出すことによってなされるから、手指に大きな負担がかかることになる。また、自動ロックの為の機構、その解除の為の機構、更にはゼンマイバネ及びその為のスペース等が必要とされるから、部品点数が多く、構造も複雑となると共に大型化し、製品コストの増大を招くことにもなる。
【０００５】
本発明は、上記実情に鑑みなされたものであり、測定テープの繰出し時の負担を軽減し、構造が簡単でハンドリング性に優れ、コンパクト且つ低コスト化が図れる新規な巻尺を提供することを目的としている。
【課題を解決するための手段】
【０００６】
請求項１の発明に係る巻尺は、本体ケースと、該本体ケース内に回動可能に収納された巻取ドラムと、該巻取ドラムに巻取られた鋼板製測定テープと、該測定テープを巻取ドラムに巻取り操作する為の巻取ハンドルと、巻取られた測定テープ自身の反巻取弾発作用による巻取ドラムの回転を阻止し測定テープをロック状態に維持するロック手段と、このロック状態を解除するロック解除手段とを備え、上記ロック解除手段を操作した時には、上記ロック状態が解除され、巻取られた測定テープが上記反巻取弾発作用によって巻取ドラムを反巻取方向に回転させ、本体ケースの繰出口から測定テープが自動的に繰出されるようにしたことを特徴とする。
【０００７】
本発明においては、請求項２の発明のように、前記ロック手段が、前記本体ケース内に湾曲状態で弾装された板バネと、該板バネの途中に固着され前記巻取ドラムに弾接される摩擦制動部材とよりなり、前記ロック解除手段が、本体ケースに取付けられた押圧操作ボタンからなり、この操作ボタンを押圧操作することによって、上記板バネを弾性変形させ、上記摩擦制動部材の巻取りドラムに対する弾接を解除させるように構成することができる。また、前記鋼板製測定テープとしては、請求項３の発明のように、コンベックステープからなるものであることが望ましい。
【発明の効果】
【０００８】
請求項１の発明に係る巻尺においては、測定テープが鋼板製であるから、これを巻取ハンドルによって巻取ドラムに巻取ると、その直状への記憶特性により、反巻取弾発作用が生じる。鋼板製コンベックステープ（請求項３）の場合、特にこれが顕著に発現される。ロック手段は、巻取られた測定テープ自身のこの反巻取弾発作用による巻取ドラムの回転を阻止し測定テープをロック状態に維持するから、測定テープの巻取状態或いは測定テープの所望長さの繰出状態が安定維持される。そして、ロック解除手段によってこのロック状態を解除すると、測定テープの上記反巻取弾発作用によって巻取ドラムが回転し、測定テープは本体ケースの繰出口から自動的に繰出され、所望長さ位置でロック解除手段の操作を止めれば自動的に測定テープがロックされる。従って、測定テープの繰出操作時のハンドリング性に優れ、また、前記従来技術のように、ゼンマイバネの巻取付勢力に抗するような力を要さず、手指にかかる負担も軽減される。また、測定テープの巻取りは、巻取ハンドルの操作によって簡易になされる。
【０００９】
更に、巻取りの為のゼンマイバネが不要とされるから、その為のスペースを確保する必要がなく、コンパクトな巻尺が実現されると共に低コスト化が図られる。また、ロック手段及びロック解除手段を、請求項２の発明のように構成すれば、摩擦制動部材を備えた板バネと押圧操作ボタンとの組合せだけで構成でき、極めて簡単な構造で且つ製品コストの高騰を来たすことなく測定テープの優れたロック・ロック解除機能が実現される。更に、請求項３の発明のように、測定テープを鋼板製コンベックステープからなるものとすれば、上記の特性による自動繰出し適性がより向上すると共に、本発明を汎用のコンベックス巻尺へ簡易に適用することができる。
【発明を実施するための最良の形態】
【００１０】
以下に本発明の最良の実施の形態について、図面に基づいて説明する。図１は本発明の巻尺の第１の実施形態を示す部分切欠横断平面図、図２は同巻尺の側面図、図３は図１のＸ−Ｘ線拡大断面図、図４は同巻尺における測定テープの繰出状態を示す図１と同様図、図５は他の実施形態の図１と同様図である。
【実施例１】
【００１１】
図１乃至図３に示す巻尺Ａは、硬質合成樹脂等により成型された２つ割りの本体ケース１内に、目盛が付された長尺の測定テープ２を巻取軸３の周りに巻取り及び繰出し自在に収納してなる。１ｈは、当該２つ割りの本体ケース１を相互に締結一体化させる為のビス孔である。測定テープ２は幅方向に湾曲した鋼板製のコンベックステープからなり、その基部２ａは、巻取軸３に回動自在に保持された巻取ドラム（テープ巻取リール）４にリベット結合等により連結されている。４ａは、該巻取ドラム４を保持し、測定テープ２を整然と巻取るリールガイド板である。巻取ドラム４の本体ケース１の外側に臨む部分には巻取ハンドル５が取付けられている。この巻取ハンドル５は、ヒンジ部５ａを支点として回動自在に取付けられ、非使用時には２点鎖線位置のように巻取ドラム４の側部に閉じるように収納し、使用時にはヒンジ部５ａを支点として１８０°開いた実線位置（図２）でその巻取回転操作がなされる。この巻取ハンドル５を、図１の矢示Ｙ方向に回転操作することにより、測定テープ２は巻取ドラム４の周体に巻回巻取られる。
【００１２】
測定テープ２は、コンベックステープの湾曲形状への形状記憶特性により、繰出された時には直線状を維持し得ることは従来公知のものと同様で、好ましく採用されるが、コンベックステープ以外の長尺の鋼板制テープも採用することができる。測定テープ２の先端部には測定基準金具を兼ねるフック部材２ｂが取付けられ、測定テープ２の本体ケース１内での収納状態では、本体ケース１の繰出口１ａにこのフック部材２ｂが露出係止されている。測定テープ２は、巻取ドラム４の周体に巻回巻取られた状態では、上記のようにその直状への記憶特性により、反巻取弾発作用を保有するから、巻取ドラム４に反巻取方向（反Ｙ方向）の力が作用し、巻取ドラム４に何ら拘束力が付加されていない場合は、巻取ドラム４が反Ｙ方向にフリー回転し、測定テープ２は繰出口１ａから繰出されてしまう。鋼板製コンベックステープの場合、これが特に顕著に発現される。
【００１３】
そこで、図例の巻尺Ａでは、上記巻取ドラム４のフリー回転を阻止する為のロック手段６が組み付けられている。該ロック手段６は、帯鋼板製の板バネ７と、該板バネ７の途中に固着された合成樹脂或いは硬質ゴム等の摩擦制動部材８とより構成されている。板バネ７は、その基端部７ａが前記本体ケース１の内壁に固着され、上記リールガイド板４ａの外周側に沿って湾曲され、先端の自由端７ｂがロック解除手段としての押圧操作ボタン９の内面に弾接されている。該押圧操作ボタン９は、合成樹脂の一体成型体からなり、本体ケース１に形成された開口部分１ｂに、前記巻取軸３に平行なピン９ａを支点として揺動可能に取付けられ、その外面が本体ケース１の外部に露出している。
【００１４】
上記のように、板バネ７の自由端７ｂはこの押圧操作ボタン９の内面に弾接し、この弾接力により、押圧操作ボタン９はピン９ａ周りに常時揺動付勢されるが、一端に形成されたストッパー９ｂの上記開口部分１ｂの開口縁部に対する係止によってその揺動が阻止された状態とされている。従って、この状態では板バネ７は、本体ケース１内において、湾曲弾装状態とされ、板バネ７の途中に固着された摩擦制動部材８は、この湾曲弾装に伴う板バネ７の復元弾力よって、リールガイド板４ａの周縁部に弾接し、この弾接による摩擦作用によって巻取ドラム４の上記フリー回転が阻止される。
【００１５】
図４は上記構成の巻尺Ａにおける測定テープ２の繰出状態を示す。押圧操作ボタン９を同図の矢示Ｚ方向に押圧操作すると、押圧操作ボタン９がピン９ａを支点として揺動し、これに伴い板バネ７が更に湾曲付勢される。その為、摩擦制動部材８がリールガイド板４ａの周縁部から離れ（図３の２点鎖線参照）、巻取ドラム４の拘束ロック状態が解除される。このロック状態が解除されると、上記のように巻取られている測定テープ２の反巻取弾発作用によって、巻取ドラム４が反Ｙ方向にフリー回転を開始する。これに伴い、測定テープ２は、本体ケース１の繰出口１ａから白抜矢示のように自動的に繰出されてゆく。この時、巻取ハンドル５は図４の破線で示すように、巻取ドラム４の側部に収納しておく。
【００１６】
測定テープ２が所望長さに繰出された時、押圧操作ボタン９の押圧操作を止めると、板バネ７の復元弾力によって押圧操作ボタン９が図１のように開口部分１ｂの縁部に係止する。これに伴い、摩擦制動部材８がリールガイド板４ａの周縁部に再び弾接し、巻取ドラム４の上記フリー回転が阻止されて、測定テープ２が繰出位置にロック維持される。測定テープ２を巻取る際は、押圧操作ボタン９を押圧して上記ロック状態を解除しながら、巻取ハンドル５を図１或いは図２の実線で示す位置に開けた上で、Ｙ方向に回転操作すると測定テープ２は巻取ドラム４に巻取られてゆく。この場合、巻取ハンドル５が、巻取時には大きな回動半径で回動操作されることになるから、測定テープ２に反巻取弾発作用が付加されていても、手指に左程大きな負担がかからず円滑な巻取りがなされる。巻取が終了し、押圧操作ボタン９の押圧操作を止めれば、上記同様板バネ７の復元弾力に伴う摩擦制動部材８のリールガイド板４ａに対する弾接によって、巻取ドラム４の回転が阻止され、測定テープ２が巻取位置にロック維持される。
【００１７】
このように、測定テープ２の繰出時では、手指にかかる負担が殆どない。そして、通常の使用時においては、本体ケース１を把持して測定テープ２の繰出操作や測定作業がなされるが、この把持した状態のまま把持力を少し強くするだけで押圧操作ボタン９の押圧操作がなされ、上記巻取ドラム４の回転を許容し、測定テープ２の繰出しが自動的になされる。また、本実施形態のように、押圧操作ボタン９が設けられる位置は、把持する手指に隠される位置となるから、外観もシンプルとなる。更に、従来のようなゼンマイバネが不要で、しかもロック手段６及びロック解除手段９が極めて簡易な構造であるから、製品コストの低廉化及びコンパクト化に寄与する。
【実施例２】
【００１８】
図５は本発明の第２の実施形態の巻尺Ｂを示す。この巻尺Ｂでは、ロック手段６を構成する板バネ７が逆Ｕ型に湾曲付勢された状態で本体ケース１内に弾装され、その両端部７ａ、７ｂが本体ケース１の内壁部に固着乃至係止されている。また、摩擦制動部材８は、板バネ７の湾曲中央部分７ｃと一端部７ｂとの間に固着されており、板バネ７の湾曲付勢力によって巻取ドラム４のリールガイド板４ａの周縁部に弾接している。このリールガイド板４ａに対する弾接摩擦作用により巻取ドラム４の回転が阻止され、測定テープ２の繰出ロック維持がなされている。また、ロック解除手段としての押圧操作ボタン９が、本体ケース１に形成された開口部分１ｃに設けられている。該押圧操作ボタン９は合成樹脂の一体成型体からなり、その周縁部に鍔部９ｃが形成され、この鍔部９ｃをして開口部分１ｃの開口縁部に係止して、本体ケース１からの抜出の防止が図られている。そして、押圧操作ボタン９は、その内面が上記板バネ７の湾曲中央部分７ｃに接し、外面が本体ケース１の外側に露出する状態に維持されている。
【００１９】
上記ロック手段６によるロック状態の解除は、押圧操作ボタン９をＺ１方向に押圧操作することによりなされる。即ち、押圧操作ボタン９の外面を、板バネ７の弾力に抗してＺ１方向に押圧操作すると、押圧操作ボタン９が２点鎖線のように本体ケース１内に沈み込むように変位する。この押圧操作ボタン９の変位に伴い、板バネ７が２点鎖線のように弾性変形し、摩擦制動部材８が上記リールガイド板４ａの周縁部から離れ、巻取ドラム４の拘束ロック状態が解除される。このロック状態が解除されると、上記のように巻取られている測定テープ２の反巻取弾発作用によって、巻取ドラム４が反Ｙ方向にフリー回転を開始する。これに伴い、測定テープ２は、本体ケース１の繰出口１ａから上記同様に自動的に繰出されてゆく。
【００２０】
押圧操作ボタン９の押圧操作を止めると、板バネ７の復元弾力により、押圧操作ボタン９、板バネ７及び摩擦制動部材８が実線位置に復帰し、上記ロック状態の維持がなされる。測定テープ２の巻取りは、上記同様に構成された巻取ハンドル５の回転操作によって同様になされる。従って、本実施例の巻尺Ｂも上記同様優れたハンドリング性を備え、構造が簡易で製品コストの低廉化に寄与する。その他の構成は実施例１と同様であるので、共通部分に同一の符号を付し、ここではその説明を割愛する。
【００２１】
尚、上記各実施例における巻尺Ａ、Ｂの外形状は図例のものに限定されないことは当然である。また、ロック装置６を構成する板バネ７の弾装状態は図例のものに限定されず、本発明の機能を奏するものであれば、その他の弾装状態も採用され得るものである。更に、本体ケース１も硬質合成樹脂の成型体に限定されず、軽金属の成型体等であっても良いことは言うまでもない。加えて、巻取ハンドル５の形状も図例のものに限定されるものではないことも当然である。
【図面の簡単な説明】
【００２２】
【図１】本発明の巻尺の第１の実施形態を示す部分切欠横断平面図である。
【図２】同巻尺の側面図である。
【図３】図１のＸ−Ｘ線拡大断面図である。
【図４】同巻尺における測定テープの繰出状態を示す図１と同様図である。
【図５】他の実施形態の図１と同様図である。
【符号の説明】
【００２３】
１      本体ケース
１ａ    テープ繰出口
２      測定テープ
３      巻取軸
４      巻取ドラム
５      巻取ハンドル
６      ロック手段
７      板バネ
８      摩擦制動部材
９      押圧操作ボタン（ロック解除手段）
Ａ、Ｂ  巻尺
【図１】
2007108106.tif 000003
【図２】
2007108106.tif 000004
【図３】
2007108106.tif 000005
【図４】
2007108106.tif 000006
【図５】
2007108106.tif 000007